(57)【特許請求の範囲】
【請求項１】
構造物の上面に設置される緑化システムであって、
前記構造物の上面に、排水層、導水層、第１保水層、第２保水層がこの順で積層された積層体と、
前記積層体の前記第２保水層に設けられ前記第２保水層の上面に向けて開口する穴部に収容された植栽と、
前記積層体の少なくとも前記第２保水層に給水可能な態様で、前記第１保水層と前記第２保水層との間又は第２保水層に設けられ、前記積層体の積層方向に直交する方向に延びる１本または複数本の灌水管とを備え、
前記排水層が、防根・遮水性シートで構成されており、
前記導水層が、不織布で構成されており、
前記第１保水層が１００〜１９０ｋｇ／ｍ３の乾燥時密度を有するロックウールシートで構成されており、
前記第２保水層が、３０〜９０ｋｇ／ｍ３の乾燥時密度を有する少なくとも１層のロックウールシートで構成されており、
前記第１保水層の高さに対する前記第２保水層の高さの比が、０．７５〜２．５０の範囲内である、緑化システム。
【請求項２】
前記第２保水層が、積層された複数枚のロックウールシートで構成されている、請求項１に記載の緑化システム。
【請求項３】
前記第１保水層の高さが２０〜８０ｍｍであり、前記第２保水層の高さが４０〜１２０ｍｍである、請求項１又は２に記載の緑化システム。
【請求項４】
前記灌水管が１本の場合は前記第１保水層及び第２保水層の一側端部との距離が１．５〜６ｍであり、前記灌水管が複数本の場合は隣り合う前記灌水管の間隔が１．５〜６ｍである、請求項１〜３のいずれか一項に記載の緑化システム。
【請求項５】
前記排水層を構成する防根・遮水性シートが、前記積層体の積層方向に沿って上方に突出し、かつ、１〜５ｍｍの間隔で規則的に並ぶ高さ３〜１３ｍｍの複数の中空錐台状の凸部を有する、請求項１〜４のいずれか一項に記載の緑化システム。
【請求項６】
前記不織布が１００〜３００ｇ／ｍ２の目付を有する、請求項１〜５のいずれか一項に記載の緑化システム。
【請求項７】
前記植栽が培地に植え付けられた低木である、請求項１〜６のいずれか一項に記載の緑化システム。
【発明の詳細な説明】
【技術分野】
【０００１】
本発明は、緑化システムに関する。
【背景技術】
【０００２】
近年、意匠性の高い緑化を実現するために、低木や草木を含む多種の植物を用いた緑化システムが求められている。特に、低木を育成する緑化システムの場合には、通常、多量の土壌が必要となる。このような土壌として、人工軽量土壌が用いられることも多い。
【先行技術文献】
【特許文献】
【０００３】
【特許文献１】特許第５５９４４２４号公報
【特許文献２】特開２００１−４５８６１号公報
【特許文献３】特開２００５−１３７３６８号公報
【特許文献４】特開２００５−２７００２０号公報
【特許文献５】特開平６−１２５６６４号公報
【発明の概要】
【発明が解決しようとする課題】
【０００４】
上述の土壌は、乾燥時重量が軽いロックウール等の材料に比べて重く、また、飛散しやすいため、土壌を用いた緑化システムは、土壌を用いない緑化システムに比べて、施工性が悪くなってしまう。
【０００５】
加えて、土壌を用いて重くなった緑化システムを、たとえば構造物の屋根や屋上に設置する場合には、構造物自体の強度（耐荷重等）を増す必要がある。この場合、柱を太くする等の対策が考えられるが、建築物等の利用可能スペースが減少したり、建築物等の建設コストが増大したりする不具合が起こり得る。
【０００６】
土壌を用いる緑化システムは、土壌の層を薄層化することで、上記の不具合が解消または改善されるものの、緑化システムとして十分な保水性を確保できなくなり、灌水が停止したときの植物育成に問題が生じるおそれがある。
【０００７】
発明者らは、鋭意研究の末、施工性および保水性に優れた緑化システムを新たに見出した。
【０００８】
すなわち、本発明は、高い施工性および高い保水性を有する緑化システムを提供することを目的とする。
【課題を解決するための手段】
【０００９】
本発明の一形態に係る緑化システムは、構造物の上面に設置される緑化システムであって、構造物の上面に、排水層、導水層、第１保水層、第２保水層がこの順で積層された積層体と、積層体の第２保水層に設けられ第２保水層の上面に向けて開口する穴部に収容された植栽と、積層体の少なくとも第２保水層に給水可能な態様で、第１保水層と第２保水層との間又は第２保水層に設けられ、積層体の積層方向に直交する方向に延びる１本または複数本の灌水管とを備え、排水層が、防根・遮水性シートで構成されており、導水層が、不織布で構成されており、第１保水層が１００〜１９０ｋｇ／ｍ３の乾燥時密度を有するロックウールシートで構成されており、第２保水層が、３０〜９０ｋｇ／ｍ３の乾燥時密度を有する少なくとも１層のロックウールシートで構成されており、第１保水層の高さに対する第２保水層の高さの比が、０．７５〜２．５０の範囲内である。
【００１０】
上記緑化システムにおいては、土壌の層を用いず、その代わりにロックウールシートを用いて構成されている。すなわち、第１保水層として、乾燥時密度が１００〜１９０ｋｇ／ｍ３のロックウールシートが用いられ、第２保水層として、乾燥時密度が３０〜９０ｋｇ／ｍ３のロックウールシートが用いられている。このような緑化システムにおいては、第１保水層および第２保水層の各ロックウールシートが保水することで、十分な保水性を確保することができる。その上、ロックウールシートの採用により、上記緑化システムにおいては、軽量化が図られており、かつ、土壌飛散の問題も生じないため、高い施工性が得られる。
【００１１】
また、第２保水層が、積層された複数枚のロックウールシートで構成されている態様であってもよい。この場合、ロックウールシートの枚数を調整することで、第２保水層の高さを、植物の種類等に応じて容易に調整することができる。
【００１２】
また、第１保水層の高さが２０〜８０ｍｍであり、第２保水層の高さが４０〜１２０ｍｍである態様であってもよい。
【００１３】
また、灌水管が１本の場合は第１保水層及び第２保水層の一側端部との距離が１．５〜６ｍであり、灌水管が複数本の場合は隣り合う灌水管の間隔が１．５〜６ｍである態様であってもよい。
【００１４】
また、排水層を構成する防根・遮水性シートが、積層体の積層方向に沿って上方に突出し、かつ、１〜５ｍｍの間隔で規則的に並ぶ高さ３〜１３ｍｍの複数の中空錐台状の凸部を有する態様であってもよい。
【００１５】
また、不織布が１００〜３００ｇ／ｍ２の目付を有する態様であってもよい。
【００１６】
また、植栽が培地に植え付けられた低木である態様であってもよい。
【発明の効果】
【００１７】
本発明によれば、高い施工性および高い保水性を有する緑化システムが提供される。
【図面の簡単な説明】
【００１８】
【図１】図１は、実施形態に係る緑化システムの構成を示す図である。
【図２】図２は、図１のＩＩ−ＩＩ線断面図である。
【図３】図３は、排水層および導水層を示した部分破断図である。
【図４】図４は、実施例に係る各緑化システムの特性を示した表である。
【図５】図５は、比較例に係る各緑化システムの特性を示した表である。
【発明を実施するための形態】
【００１９】
以下、本発明を実施するための形態について、添付図面を参照しつつ詳細に説明する。なお、同一又は同等の要素については同一の符号を付し、説明が重複する場合にはその説明を省略する。
【００２０】
図１および図２に示すように、実施形態に係る緑化システム１は、構造物の上面１０上に設置されている。本明細書における「構造物」には、人の居住を目的とした建築物や建造物と、人の居住を目的としない塔や橋梁等の構築物も含まれる。構造物の上面１０は、たとえば屋上である。ただし、構造物の上面１０は、屋上に限らず、建築物のベランダやテラス、道路や駐車場などであってもよい。
【００２１】
本実施形態では、構造物の上面１０は、水が流れるように付けた勾配（水勾配）を有しており、その水勾配は、７％以下、たとえば１〜２％の範囲である。
【００２２】
以下の説明では、構造物の上面１０の法線方向をＺ方向、構造物の上面１０に対して平行な方向であって水勾配の方向（水勾配方向）をＸ方向、構造物の上面１０に対して平行な方向であってＸ方向に直交する方向をＹ方向と称する。
【００２３】
緑化システム１は、積層体２０と、積層体２０の周囲を囲む枠部材３０と、積層体２０の内部に配設された灌水管４０とを備えている。
【００２４】
積層体２０は、排水層２１、導水層２２、第１保水層２３および第２保水層２４が積層された積層構造を有している。詳しくは、構造物の上面１０に、排水層２１、導水層２２、第１保水層２３、第２保水層２４が、この順で構造物の上面１０の法線方向（Ｚ方向）に沿って積層されて、積層体２０が構成されている。すなわち、排水層２１は構造物の上面１０に積層され、導水層２２は排水層２１の上面に積層され、第１保水層２３は導水層２２の上面に積層され、第２保水層２４は第１保水層２３の上面に積層されている。
【００２５】
排水層２１は、防根・遮水性シートで構成されており、図３に示すような凹凸形状を有している。すなわち、排水層２１は、薄膜状のシート部２６と、その上面に突設された複数の凸部２７とを有するシートで構成されている。シート材料としては、合成樹脂（たとえばポリプロピレン）がコストや入手容易性の面から好適である。上記凹凸形状は、たとえば薄膜シートをプレス加工することによって得られる。
【００２６】
排水層２１は、積層体２０の余剰水分を水勾配方向に排出する排水機能を備え、導水層２２から落ちてきた水分は凸部２７の間を通って水勾配方向に沿って流れる。また、排水層２１は、構造物の上面１０への根および水の浸入を防ぐ防根・遮水機能をも備える。
【００２７】
各凸部２７は、Ｚ方向（積層体２０の積層方向）に沿って上側に延びる中空錐台形状を有しており、同一形状および同一寸法となるように設計されている。より詳しくは、各凸部２７は、Ｚ方向に直交する断面形状が環状である中空円錐台形状を有している。ただし、凸部２７は、中空円錐台形状に限らず、中空の角錐台形状（たとえば、中空四角錐台形状）等であってもよい。凸部２７の寸法に関し、図３中の符号Ｈは凸部の高さ、符号Ｄ１は凸部の下底直径、符号Ｄ２は凸部の上底直径を示している。高さＨに関しては、３〜１３ｍｍの範囲に設計される。また、下底直径Ｄ１は３〜１６ｍｍの範囲に設計され、上底直径Ｄ２は２〜４ｍｍの範囲に設計される。
【００２８】
複数の凸部２７は、図３に示すように規則的に並んでいる。たとえば、等間隔Ｐで並ぶ凸部２７の列と、その隣の等間隔Ｐで並ぶ凸部２７の列とを、１／２Ｐだけずらしたような規則配置とすることができる。隣り合う凸部２７の間隔Ｐ（シート部２６の上面における間隔）は、１〜５ｍｍの範囲に設計される。
【００２９】
なお、排水層２１は、シート部２６において、図示しない釘などの留め付け具により構造物の上面１０に固定され得る。シート部２６の厚さは、たとえば０．１〜１．０ｍｍの範囲に設計される。排水層２１は、敷設面積が大きい等の必要に応じて、複数のシートを継ぎ足して形成することができる。
【００３０】
導水層２２は、不織布によって構成されており、排水層２１の上側において上述した複数の凸部２７によって支持される。導水層２２の不織布としては、水分や植物の根は通すが土壌の土粒子は通さず、厚さ０．５〜５．０ｍｍ、目付１００〜３００ｇ／ｍ２の範囲の不織布が採用される。不織布の材料としては、合成樹脂（たとえばポリエチレン）がコストや入手容易性の面から好適である。導水層２２の不織布についても、敷設面積が大きい等の必要に応じて、複数の不織布を継ぎ足して形成することができる。
【００３１】
第１保水層２３は、培地として機能するロックウールシートで構成されている。ロックウールシートは、鉱物繊維が不規則に絡み合うことによって構成され、繊維間の空隙に多量の水分を保持することができ、そのため、第１保水層２３は、後述の植栽２５に対して水分を補給することができる。
【００３２】
第１保水層２３のロックウールシートは、硬い矩形マット状を有し、複数のロックウールシートを隙間なく敷設することにより第１保水層２３が形成されている。
【００３３】
第１保水層２３は、たとえば、１０〜９０ｍｍの範囲の高さを有し、重量、および、保水機能および排水機能の両立の観点から、好ましくは、２０〜８０ｍｍの範囲の高さを有し、より好ましくは２５〜４５ｍｍの範囲の高さを有する。なお、第１保水層２３の高さ、すなわち第１保水層２３を形成するロックウールシートの高さは、ロックウールシートを、１００℃の温度条件下で２４時間乾燥させた後の高さを意味する。また、第１保水層２３のロックウールシートは、比較的高い１００〜１９０ｋｇ／ｍ３の範囲の乾燥時密度（高乾燥時密度）を有する。なお、乾燥時密度とは、ロックウールシートを、１００℃の温度条件下で２４時間乾燥させた後の密度である。ロックウールシートの乾燥時密度や寸法が変わると、それに応じて第１保水層２３の保水力、重量、強度が変わり、ロックウールは乾燥時密度が高いほど硬くなる。第１保水層２３は、複数枚のロックウールシートを積層して構成することもできるが、施工性の観点から、１枚のロックウールシートで構成することが好ましい。
【００３４】
第２保水層２４は、複数のロックウールシートを隙間なく敷設することにより形成されている。第２保水層２４のロックウールシートは、矩形シート状を有し、第１保水層２３のロックウールシートよりも柔らかい。第２保水層２４は、複数枚のロックウールシートを積層して構成することができ、本実施形態では３枚のロックウールシートにより構成されている。第２保水層２４は、たとえば、第１保水層２３の上面に、ロール状に巻かれたロックウールシートを展開し、展開されたロックウールシートの上面にロール状に巻かれたロックウールシートを展開していくことで敷設される。このように複数枚のロックウールシートを積層して第２保水層２４を構成することで、ロックウールシートの枚数を調整して第２保水層２４の高さを容易に調整することができ、植物の種類等に応じて容易に第２保水層２４の高さ調整することができる。なお、第２保水層２４も、第１保水層２３同様、施工性の観点から、１枚のロックウールシートで構成することもできる。ただし、第２保水層２４を構成するロックウールシートの運搬容易性とロックウールシートを展開して敷設する際の作業性（作業回数）との両立の観点からは、第２保水層２４は、２〜３枚のロックウールシートで形成されることが好ましい。
【００３５】
第２保水層２４は、たとえば、２５〜１５０ｍｍの範囲の高さを有し、重量、および、保水機能および排水機能の両立の観点から、好ましくは４０〜１２０ｍｍの範囲の高さを有し、より好ましくは５０〜１００ｍｍの範囲の高さを有する。なお、第２保水層２４の高さ、すなわち第２保水層２４を構成するそれぞれのロックウールシートの高さの和は、各ロックウールシートを、１００℃の温度条件下で２４時間乾燥させた後の高さを足し合わせたものを意味する。第１保水層２３の高さに対する第２保水層２４の高さの比は、０．７５〜２．５０の範囲内となるように設計され、好ましくは０．８５〜２．００の範囲内となるように設計され、植物の育成と施工性の両立の観点からは、０．９０〜１．９５の範囲内となるように設計されることがより好ましく、１．１０〜１．９０の範囲内となるように設計されることがさらに好ましい。また、第２保水層２４のロックウールシートは、比較的低い３０〜９０ｋｇ／ｍ３の範囲の乾燥時密度（低乾燥時密度）を有し、好ましくは、４０〜８０ｋｇ／ｍ３の範囲の乾燥時密度を有する。
【００３６】
第２保水層２４が、積層された複数枚のロックウールシートで構成される場合、ロックウールシートの運搬容易性とロックウールシートを展開して敷設する際の作業性との両立の観点から、１枚のロックウールシートの高さ（１００℃の温度条件下で２４時間乾燥させた後の高さ）は、２０〜４０ｍｍであることが好ましく、２５〜３５ｍｍであることがより好ましい。なお、第２保水層２４を構成する複数枚のロックウールシートは、同一の高さを有していても、それぞれ異なる範囲の高さを有していてもよい。また、第２保水層２４を構成する複数枚のロックウールシートは、前述した範囲の乾燥時密度（低乾燥時密度）であれば、同一の乾燥時密度を有していても、それぞれ異なる範囲の乾燥時密度を有していてもよい。
【００３７】
第２保水層２４の面積は、第１保水層２３の面積と略同一となるように設計される。より具体的には、第２保水層２４の面積は、第１保水層２３の面積を１００とした場合に、９５〜１０５の範囲内である。
【００３８】
そして、第２保水層２４には、複数の穴部２４ａが設けられている。各穴部２４ａは、第２保水層２４の上面に向けて開口しており、積層方向に直交する断面は円形断面である。穴部２４ａは、たとえば２〜２０ｃｍの範囲の深さを有し、より好ましくは、４〜１２ｃｍの深さを有し、さらに好ましくは、５〜１０ｃｍの深さを有する。穴部２４ａの深さを第２保水層２４の高さより浅く設計し、第２保水層２４を貫通しない穴部２４ａとすることも、第２保水層２４の高さより深く設計し、第２保水層２４を貫通して第１保水層２３に及ぶ穴部２４ａとすることもできるが、植物の育成及び穴を設ける際の加工性の観点から、穴部２４ａの深さを、第２保水層２４の高さと同一に設計し、穴部２４ａが第２保水層２４を貫通し、第１保水層２３には及ばないようにすることが好ましい。また、穴部２４ａの円形断面は、たとえば３〜２０ｃｍの範囲の直径を有し、より好ましくは、５〜１５ｃｍの直径を有する。なお、穴部２４ａの断面は、上述した円形断面に限らず、たとえば楕円形断面や多角形断面等であってもよい。
【００３９】
第２保水層２４の穴部２４ａは、作業性の観点から、素手で空けることが好ましいが、適宜穴を形成するための器具を用いてもよい。
【００４０】
上述した第２保水層２４の各穴部２４ａには、植栽２５が収容される。本実施形態における植栽は、培地２５ａに植え付けられた低木であり、その培地２５ａが第２保水層２４の穴部２４ａ内に収容されている。ここで、本明細書における「低木」とは、高さが３０〜１００ｃｍ（好ましくは、４０〜７０ｃｍ）の樹木のことを指し、たとえば、クルメツツジ、オタフクナンテン、アジサイ等である。培地２５ａは、通水可能な容器に収容された状態で穴部２４ａに収容されてもよい。培地２５ａとしては、ロックウールや人工軽量土壌等の土壌を採用し得る。なお、植栽２５は、培地２５ａに植えられた植物でなくてもよく、植物単体であってもよい。なお、植栽２５は、上述した低木に限らず、たとえば、ヘデラへリックスなどのツル・ツタ類やヤブラン、ツワブキなどの草本類とすることもできる。
【００４１】
枠部材３０は、積層体２０の全周を囲む部材（いわゆる見切り材）であり、四角形状に形成された積層体２０の四辺に沿うように設けられる。枠部材３０は、複数の枠部品を繋ぎ合わせて構成することができ、この場合には、部品同士を繋ぎ合わせるためのコーナーキャップ３８やジョイント３９が用いられる。積層体２０の周囲を囲む枠部材３０により、積層体２０の位置がずれる事態を抑制したり、風などによって浮き上がる事態を抑制したりすることができる。
【００４２】
上述した緑化システム１は、さらに複数の灌水管４０を備えている。灌水管４０は、たとえば、直径が８〜２０ｍｍの範囲のパイプである。灌水管４０は、図示しない給水タンクまたは水栓から延びており、降雨量が少ないとき等、植栽に必要な水分が不足するときに、第１保水層２３および第２保水層２４に水を供給する。
【００４３】
複数の灌水管４０は、図１に示すように、水勾配方向（Ｘ方向）に延びる灌水管と、水勾配方向に対して直交する方向（Ｙ方向）に延びる灌水管とを備えており、互いに直交する箇所では水が流通するように連結されている。
【００４４】
各灌水管４０は、図２に示すように、第１保水層２３と第２保水層２４とで挟まれるようにして第１保水層２３と第２保水層２４との間に配置されている。各灌水管４０の周面には、図示しない給水口が設けられており、その給水口を介して、灌水管４０から第１保水層２３および第２保水層２４に対して給水がおこなわれる。なお、灌水管４０は図２に一点鎖線で示すように、複数枚のロックウールシートにより形成される第２保水層２４のロックウールシート間に配置し、第２保水層２４に対して重点的に給水をおこなうようにすることもできる。この場合、第１保水層２３および第２保水層２４にバランスよく給水するという観点から、灌水管４０は、第１保水層２３の直上に積層される第１のロックウールシートと、第１のロックウールシートの直上に積層される第２のロックウールシートとの間に配置されることが好ましい。
【００４５】
灌水管４０は、必要に応じて、第１保水層２３の上面や第２保水層２４の下面にＶ溝を設けてそのＶ溝内に配置したり、第２保水層２４を構成するロックウールシートの内部に灌水管４０の延在方向に沿う貫通孔を設け、その貫通孔内に灌水管４０を挿通させたりする態様にすることもできる。
【００４６】
図１に示す態様では、Ｙ方向に平行に延びる２本の灌水管４０は、その間隔が０．５〜６ｍの範囲に設計されている。なお、Ｘ方向に延びる灌水管４０のように、同方向に延びる灌水管が存在しない場合には、灌水管同士の間隔ではなく、灌水管４０と平行に延在する積層体２０の側端部との距離を、０．５〜６ｍの範囲に設計する。なお、Ｙ方向に平行に延びる２本の灌水管４０の間隔、又は、灌水管４０と平行に延在する積層体２０の側端部との距離は、植物の育成と灌水管施工の効率性との両立の観点から、１．５〜６．０ｍであることが好ましい。
【００４７】
上述した緑化システム１は、植栽２５以外の植物（雑草等）の繁茂を抑制するために、第２保水層２４の上に、図２に示したようなマルチング材５０（たとえば、砂利、バークチップ等）を配置することが好ましい。マルチング材５０の代わりに、合成樹脂シート（ポリエステル製織布、ポリエステル製不織布等）も採用され得るが、景観向上の観点からは、マルチング材５０を配置することが好ましい。
【００４８】
以上で説明した緑化システム１は、第１保水層２３および第２保水層２４の各ロックウールシートが保水することで、十分な保水性が確保されている。その上、ロックウールシートの採用により、緑化システム１においては、軽量化が図られており、かつ、土壌飛散の問題も生じないため、高い施工性を有している。
【実施例】
【００４９】
以下では、図４、５の表を参照しつつ、上述した緑化システムの実施例および比較例を示して、緑化システム１の各特性について説明する。
【００５０】
図４、５の表には、第１保水層２３におけるロックウールシートの「乾燥時密度（ｋｇ／ｍ３）」および「高さ（ｍｍ）」、第２保水層２４におけるロックウールシート「１層の乾燥時密度（ｋｇ／ｍ３）」、「積層数」および「高さ（ｍｍ）」（各ロックウールシートの高さの合計）、第１保水層２３の高さに対する第２保水層２４の高さの比、灌水管４０の「灌水管間隔（ｍ）」、植栽２５における「植物の育成」、「土壌の飛散」、「踏圧耐久性」、「穴部加工性」、第２保水層２４の「積層加工性」および灌水管４０の「灌水管施工性」を評価した結果が示されている。
【００５１】
ここで、「植物の育成」は、保水性および排水性に関係する特性であり、植物が良く育つことは、良好な保水性および排水性を有することを意味する。図４、５の表において、植物の育成が「◎」とは、植物が３ヶ月間枯れずに生長し続けることを意味し、植物の育成が「○」とは、植物は３ヶ月間枯れないが大きさが変化しない（生長しない）ことを意味し、植物の育成が「×」とは、植物は３ヶ月以内に枯れてしまったことを意味する。
【００５２】
「踏圧耐久性」は、緑化システムの積層方向（Ｚ方向）における強度に関する特性であり、踏圧が負荷されたときに窪みが生じない緑化システムは踏圧耐久性が高いことを意味する。図４、５の表において、踏圧耐久性が「○」とは、緑化システム上を平均的な成人男性が歩行しても窪みを生じないことを意味し、踏圧耐久性が「×」とは、緑化システム上を平均的な成人男性が歩行した場合には、窪みが生じるおそれがあることを意味する。
【００５３】
「穴部加工性」とは、穴部２４ａを形成する際の加工のしやすさに関する特性であり、図４、５の表において、穴部加工性が「○」とは素手で穴が空けられることを意味し、穴部加工性が「×」とは素手では穴が空けられないことを意味する。
【００５４】
「積層加工性」とは、第２保水層２４の形成する際の加工のしやすさに関する特性であり、図４、５の表において、積層加工性が「○」とは、第２保水層２４を構成するロックウールシートをロール状にすることができ、ロール状のロックウールシートを展開することで積層可能であることを意味し、積層加工性が「×」とは、第２保水層２４を構成するロックウールシートをロール状にすることができず、硬いマット状のロックウールのシートを積層する必要があることを意味する。
【００５５】
「灌水管施工性」とは、灌水管４０を設置する際の施工のしやすさに関する特性であり、図４、５の表において、灌水管施工性が「○」とは、施工の手間が少ないことを意味し、灌水管施工性が「△」とは、施工の手間が多いことを意味する。
（実施例１）
【００５６】
実施例１では、乾燥時密度１８０ｋｇ／ｍ３、かつ、高さ４０ｍｍのロックウールシートで形成される第１保水層２３と、乾燥時密度７０ｋｇ／ｍ３、高さ２５ｍｍのロックウールシート２層で形成される、高さ５０ｍｍの第２保水層２４を用いた。すなわち、実施例１では、第１保水層２３の高さに対する第２保水層２４の高さの比は１．２５である。第２保水層２４に直径７ｃｍで、第２保水層２４を貫通し、第１保水層２３には及ばない円柱状の穴部を設け、土壌に植え付けられたオタフクナンテンを収容した。
【００５７】
また、灌水管４０の灌水管間隔は２ｍとした。さらに、実施例１では、導水層２２における不織布の目付を１８０ｇ／ｍ２とし、排水層２１における凸部高さＨが４．５ｍｍ、凸部間隔Ｐが２ｍｍとした。
【００５８】
実施例１に係る緑化システムにおいては、「植物の育成」、「土壌の飛散」、「踏圧耐久性」、「穴部加工性」、「積層加工性」および「灌水管施工性」の全てにおいて良好な結果が得られた。なお、実施例１では、植物の育成の特性が、特に優れていた。
【００５９】
このように実施例１に係る緑化システムは、高い施工性および高い保水性を有する。
（実施例２）
【００６０】
実施例２では、乾燥時密度１００ｋｇ／ｍ３、かつ、高さ４０ｍｍのロックウールシートで形成される第１保水層２３と、乾燥時密度４５ｋｇ／ｍ３、高さ３５ｍｍのロックウールシート２層で形成される、高さ７０ｍｍの第２保水層２４を用いた。すなわち、実施例２では、第１保水層２３の高さに対する第２保水層２４の高さの比は１．７５である。
【００６１】
実施例２は、上記の条件のみ上述した実施例１と異なり、その他は実施例１と同じである。
【００６２】
実施例２に係る緑化システムにおいても、「植物の育成」、「土壌の飛散」、「踏圧耐久性」、「穴部加工性」、「積層加工性」および「灌水管施工性」の全てにおいて良好な結果が得られた。なお、実施例２でも、植物の育成の特性が、特に優れていた。
【００６３】
このように実施例２に係る緑化システムも、高い施工性および高い保水性を有する。
（実施例３）
【００６４】
実施例３では、乾燥時密度７０ｋｇ／ｍ３、高さ２５ｍｍのロックウールシート３層で形成される、高さ７５ｍｍの第２保水層２４を用いた。
【００６５】
実施例３は、上記の条件のみ上述した実施例１と異なり、その他は実施例１と同じである。すなわち、実施例３では、第１保水層２３の高さに対する第２保水層２４の高さの比は１．８７５である。
【００６６】
実施例３に係る緑化システムにおいても、「植物の育成」、「土壌の飛散」、「踏圧耐久性」、「穴部加工性」、「積層加工性」および「灌水管施工性」の全てにおいて良好な結果が得られた。なお、実施例３でも、植物の育成の特性が、特に優れていた。
【００６７】
このように実施例３に係る緑化システムも、高い施工性および高い保水性を有する。
（実施例４）
【００６８】
実施例４では、乾燥時密度７０ｋｇ／ｍ３、高さ２５ｍｍのロックウールシート３層で形成される、高さ１００ｍｍの第２保水層２４を用いた。また、実施例４では、灌水管４０の灌水管間隔を０．５ｍとした。
【００６９】
実施例４は、上記の条件のみ上述した実施例１と異なり、その他は実施例１と同じである。すなわち、実施例４では、第１保水層２３の高さに対する第２保水層２４の高さの比は２．２５である。
【００７０】
実施例４に係る緑化システムにおいては、灌水管間隔が狭くなって設置すべき灌水管の数が増えた分だけ、灌水管４０の設置に要する手間が増えるものの、「植物の育成」、「土壌の飛散」、「踏圧耐久性」、「穴部加工性」および「積層加工性」のいずれにおいても良好な結果が得られた。なお、実施例４でも、植物の育成の特性が、特に優れていた。
【００７１】
このように実施例４に係る緑化システムも、高い施工性および高い保水性を有する。
（実施例５）
【００７２】
実施例５では、灌水管４０の灌水管間隔を２ｍとした点のみ実施例４と異なり、その他は実施例４と同じである。
【００７３】
実施例５に係る緑化システムにおいては、灌水管間隔を実施例４より広くしたことで、灌水管施工性は改善され、「植物の育成」、「土壌の飛散」、「踏圧耐久性」、「穴部加工性」および「積層加工性」のいずれにおいても良好な結果が得られた。
【００７４】
このように実施例５に係る緑化システムも、高い施工性および高い保水性を有する。
【００７５】
（実施例６）
実施例６では、乾燥時密度４５ｋｇ／ｍ３、高さ３５ｍｍのロックウールシート１層で形成される、高さ３５ｍｍの第２保水層２４を用いた。
【００７６】
実施例６は、上記の条件のみ上述した実施例１と異なり、その他は実施例１と同じである。すなわち、実施例６では、第１保水層２３の高さに対する第２保水層２４の高さの比は０．８７５である。
【００７７】
実施例６に係る緑化システムにおいても、「植物の育成」、「土壌の飛散」、「踏圧耐久性」、「穴部加工性」、「積層加工性」および「灌水管施工性」の全てにおいて良好な結果が得られた。
【００７８】
このように実施例６に係る緑化システムも、高い施工性および高い保水性を有する。
（比較例１）
【００７９】
比較例１では、乾燥時密度７０ｋｇ／ｍ３、かつ、高さ２５ｍｍのロックウールシートで形成される第１保水層２３を用いた。
【００８０】
比較例１は、上記の条件のみ上述した実施例１と異なり、その他は実施例１と同じである。すなわち、比較例１では、第１保水層２３の高さに対する第２保水層２４の高さの比は２である。
【００８１】
比較例１に係る緑化システムにおいては、十分な「踏圧耐久性」得られなかった。これは、第１保水層２３のロックウールシートの乾燥時密度が低く、ロックウールシートを構成する鉱物繊維が密でないために、第１保水層２３において十分な硬度が得られなかったためである。
（比較例２）
【００８２】
比較例２では、乾燥時密度１００ｋｇ／ｍ３、高さ４０ｍｍのロックウールシート２層で形成される、高さ８０ｍｍの第２保水層２４を用いた。
【００８３】
比較例２は、上記の条件のみ上述した実施例１と異なり、その他は実施例１と同じである。すなわち、比較例２では、第１保水層２３の高さに対する第２保水層２４の高さの比は２である。
【００８４】
比較例２に係る緑化システムにおいては、十分な「穴部加工性」および「積層加工性」の特性が得られなかった。これは、第２保水層２４のロックウールシートを構成する鉱物繊維が密になり過ぎて、素手で穴を空けることができなくなったため、および、第２保水層２４が重くなったことで持ち運びやロール展開の作業が大変になったためである。
（比較例３）
【００８５】
比較例３では、乾燥時密度２０ｋｇ／ｍ３、高さ２５ｍｍのロックウールシート２層で形成される、高さ５０ｍｍの第２保水層２４を用いた点のみ実施例１と異なり、その他は実施例１と同じである。
【００８６】
比較例３に係る緑化システムにおいては、植栽２５の植物が３カ月以内に枯れてしまった。これは、第２保水層２４のロックウールシートの乾燥時密度が低く、植物の育成に十分な量の水を保水できなかったためである。
（比較例４）
【００８７】
比較例４では、乾燥時密度１８０ｋｇ／ｍ３、高さ８０ｍｍのロックウールシートで形成される第１保水層２３を用いた。
【００８８】
比較例４は、上記の条件のみ上述した実施例１と異なり、その他は実施例１と同じである。すなわち、比較例４では、第１保水層２３の高さに対する第２保水層２４の高さの比は０．６２５である。
【００８９】
比較例５に係る緑化システムにおいては、植栽２５の植物が３カ月以内に枯れてしまった。これは、第１保水層２３の高さが高すぎて、十分な排水性を得ることができなくなったためである。
（比較例５）
【００９０】
比較例５では、乾燥時密度４５ｋｇ／ｍ３、高さ３５ｍｍのロックウールシート３層で形成される、高さ１０５ｍｍの第２保水層２４を用いた。
【００９１】
比較例５は、上記の条件のみ上述した実施例１と異なり、その他は実施例１と同じである。すなわち、比較例５では、第１保水層２３の高さに対する第２保水層２４の高さの比は２．６２５である。
【００９２】
比較例５に係る緑化システムにおいては、植栽２５の植物が３カ月以内に枯れてしまった。これは、第１保水層２３の高さに対する第２保水層２４の高さの比が高すぎて、灌水管４０から給水される水が、第２保水層２４のロックウールの上面まで達しづらくなったためである。
（比較例６）
【００９３】
比較例６では、第２保水層２４の代わりに土壌層を用い、その土壌層に植栽が植えた。  比較例６は、上記の条件のみ上述した実施例１と異なり、その他は実施例１と同じである。
【００９４】
比較例６に係る緑化システムにおいては、第２保水層２４の代わり用いた土壌層の土壌が飛散したため、緑化システムを設置する際の施工性が全般的に低下し、「積層加工性」も低下した。
【００９５】
以上で説明したように、実施例１〜６のように、第１保水層２３が１００〜１９０ｋｇ／ｍ３の乾燥時密度を有するロックウールシートで構成されており、第２保水層２４が、３０〜９０ｋｇ／ｍ３の乾燥時密度を有するロックウールシートで構成されており、第１保水層２３の高さに対する第２保水層２４の高さの比が、０．７５〜２．５０の範囲内であるため、高い施工性および高い保水性を有する緑化システムが実現される。
【００９６】
一方、上述の条件を一部満たさない比較例１〜６はいずれも、「植物の育成」、「土壌の飛散」、「踏圧耐久性」、「穴部加工性」、「積層加工性」および「灌水管施工性」のうちの少なくとも１つを満足しないため、緑化システムとしての機能が不十分である。
【符号の説明】
【００９７】
１…緑化システム、２０…積層体、２１…排水層、２２…導水層、２３…第１保水層、２４…第２保水層、２５…植栽、２５ａ…培地、４０…灌水管、５０…マルチング材。
【要約】
【課題】  高い施工性および高い保水性を有する緑化システムを提供する。
【解決手段】
緑化システム１は、構造物の上面１０に設置される緑化システムであって、第１保水層２３が１００〜１９０ｋｇ／ｍ３の乾燥時密度を有するロックウールシートで構成されており、第２保水層２４が、３０〜９０ｋｇ／ｍ３の乾燥時密度を有する少なくとも１層のロックウールシートで構成されており、第１保水層２３の高さに対する第２保水層２４の高さの比が、０．７５〜２．５０の範囲内である。このような緑化システム１は、高い施工性および高い保水性を有する。
【選択図】  図２【図１】
0006052382.tif 000002
【図２】
0006052382.tif 000003
【図３】
0006052382.tif 000004
【図４】
0006052382.tif 000005
【図５】
0006052382.tif 000006